(57)【要約】  着用者の顔面の領域を覆うためのマスクは、殺性金属または殺性金属合金を含む材料で主に構築されるマスク本体を含み、殺性金属または殺性金属合金は、マスク本体の主要構造成分である。着用者の顔面上に着用されたときには、マスク本体が着用者の口、鼻または口および鼻の少なくとも一部を覆う。マスクの濾過部は、殺性作用、空気浄化および自己消毒を提供するための殺性金属メッシュまたは殺性金属合金メッシュを含む。【選択図】図１
2017535686.tif 000002
【特許請求の範囲】
【請求項１】
着用者の顔面の領域を覆うためのマスクであって、前記マスクは、
マスク本体であって、前記マスク本体は、殺性金属または殺性金属合金を含む材料で主に構築され、前記殺性金属または殺性金属合金は、前記マスク本体の主要構造成分である、マスク本体
を含み、
前記マスク本体は、前記マスクが前記着用者の顔面上に着用されたときに前記着用者の口、鼻、または口および鼻の少なくとも一部を覆うように配置され、
前記マスクは、濾過部を有し、前記濾過部は、殺性作用、空気浄化および自己消毒を提供するための殺性金属メッシュまたは殺性金属合金メッシュを含む、
マスク。
【請求項２】
前記濾過部は、菌類、病原体および微生物を濾過する、請求項１に記載のマスク。
【請求項３】
前記濾過部は、塵および粒子を濾過する、請求項１に記載のマスク。
【請求項４】
前記マスク本体と前記着用者の顔面との間の閉鎖を改善するために周辺部バリヤをさらに含む、請求項１に記載のマスク。
【請求項５】
前記マスクが前記着用者の顔面上に着用されたときに前記マスクを前記着用者の鼻に対して配置するための強化材ワイヤをさらに含む、請求項１に記載のマスク。
【請求項６】
前記濾過部上のプリーツをさらに含む、請求項１に記載のマスク。
【請求項７】
前記濾過部上の折り目をさらに含む、請求項１に記載のマスク。
【請求項８】
前記マスク本体の前記主要構造成分は、軟性メッシュである、請求項１に記載のマスク。
【請求項９】
前記主要構造成分は、剛質マスク本体に形成される、請求項１に記載のマスク。
【請求項１０】
前記濾過部は、前記マスク本体から除去可能である、請求項１に記載のマスク。
【請求項１１】
前記濾過部は、前記濾過部を通した水の透過を防ぐために十分なサイズの平均ワイヤ直径および平均開口幅を有する、請求項１に記載のマスク。
【請求項１２】
前記濾過部は、前記濾過部を通したアルコールまたはアルコール溶液である消毒溶液の透過を許容するために十分なサイズの平均ワイヤ直径および平均開口幅を有する、請求項１に記載のマスク。
【請求項１３】
前記殺性金属または殺性金属合金は、銅、銀、金、青銅、黄銅、銅合金、金合金、銀合金または新奇な殺性合金のうちの少なくとも一つである、請求項１に記載のマスク。
【請求項１４】
着用者の顔面の領域を覆うためのマスクであって、前記マスクは、
マスク本体であって、前記マスク本体は、殺性金属または殺性金属合金を含む材料で主に構築され、前記殺性金属または殺性金属合金は、前記マスク本体の主要構造成分である、マスク本体
を含み、
前記マスク本体は、前記マスクが前記着用者の顔面上に着用されたときに前記着用者の口、鼻、または口および鼻の少なくとも一部を覆うように配置され、
前記マスクは、濾過部を有し、前記濾過部は、殺性作用、空気浄化および自己消毒を提供するための殺性金属メッシュまたは殺性金属合金メッシュを含み、
前記濾過部は、水粘度により前記濾過部を通した水の透過を防ぐために十分なサイズの平均ワイヤ直径および平均開口幅を有し、
前記濾過部は、水粘度より低い消毒溶液粘度により前記濾過部を通した消毒溶液の透過を許容するために十分なサイズの平均ワイヤ直径および平均開口幅を有する、
マスク。
【請求項１５】
前記濾過部は、菌類、病原体および微生物を濾過する、請求項１４に記載のマスク。
【請求項１６】
前記濾過部は、塵および粒子を濾過する、請求項１４に記載のマスク。
【請求項１７】
前記マスク本体と前記着用者の顔面との間の閉鎖を改善するために周辺部バリヤをさらに含む、請求項１４に記載のマスク。
【請求項１８】
前記マスクが前記着用者の顔面上に着用されたときに前記マスクを前記着用者の鼻に対して配置するための強化材ワイヤをさらに含む、請求項１４に記載のマスク。
【請求項１９】
前記濾過部上のプリーツをさらに含む、請求項１４に記載のマスク。
【請求項２０】
前記濾過部上の折り目をさらに含む、請求項１４に記載のマスク。
【請求項２１】
前記マスク本体の前記主要構造成分は、軟性メッシュである、請求項１４に記載のマスク。
【請求項２２】
前記主要構造成分は、剛質マスク本体に形成される、請求項１４に記載のマスク。
【請求項２３】
前記濾過部は、前記マスク本体から除去可能である、請求項１４に記載のマスク。
【請求項２４】
前記殺性金属または殺性金属合金は、銅、銀、金、青銅、黄銅、銅合金、金合金、銀合金または新奇な殺性合金のうちの少なくとも一つである、請求項１４に記載のマスク。
【請求項２５】
前記濾過部は、前記濾過部を通したアルコールまたはアルコール溶液である消毒溶液の透過を許容するために十分なサイズの平均ワイヤ直径および平均開口幅を有する、請求項１４に記載のマスク。
【請求項２６】
前記メッシュの前記平均ワイヤ直径は、約０．００４５インチである、請求項１４に記載のマスク。
【請求項２７】
前記メッシュの前記平均ワイヤ直径は、約０．００１４〜０．００４５インチの間である、請求項１４に記載のマスク。
【請求項２８】
前記メッシュの前記平均ワイヤ直径は、約０．００７０インチ未満である、請求項１４に記載のマスク。
【請求項２９】
前記メッシュの前記平均ワイヤ直径は、約０．０１００インチ未満である、請求項１４に記載のマスク。
【請求項３０】
前記メッシュの前記平均幅開口は、約０．００７０〜０．００５５５インチの間である、請求項１４に記載のマスク。
【請求項３１】
前記メッシュの前記平均幅開口は、約０．０１００インチ未満である、請求項１４に記載のマスク。
【請求項３２】
着用者の鼻を覆うためのマスクであって、前記マスクは、
マスク本体であって、前記マスク本体は、殺性金属または殺性金属合金を含む材料で主に構築され、前記殺性金属または殺性金属合金は、前記マスク本体の主要構造成分である、マスク本体
を含み、
前記マスク本体は、前記マスクが前記着用者の顔面上に着用されたときに前記着用者の鼻の少なくとも一部を覆うように配置され、
前記マスク本体は、濾過部を有し、前記濾過部は、殺性作用、空気浄化および自己消毒を提供するための殺性金属メッシュまたは殺性金属合金メッシュを含み、
前記濾過部は、水粘度により前記濾過部を通した水の透過を防ぐために十分なサイズの平均ワイヤ直径および平均開口幅を有し、
前記濾過部は、水粘度より低い消毒溶液粘度により前記濾過部を通した消毒溶液の透過を許容するために十分なサイズの平均ワイヤ直径および平均開口幅を有する、
マスク。
【請求項３３】
前記濾過部は、菌類、病原体および微生物を濾過する、請求項３２に記載のマスク。
【請求項３４】
前記濾過部は、塵および粒子を濾過する、請求項３２に記載のマスク。
【請求項３５】
前記マスク本体と前記着用者の顔面との間の閉鎖を改善するために周辺部バリヤをさらに含む、請求項３２に記載のマスク。
【請求項３６】
前記マスクが前記着用者の顔面上に着用されたときに前記マスクを前記着用者の鼻に対して配置するための強化材ワイヤをさらに含む、請求項３２に記載のマスク。
【請求項３７】
前記濾過部上のプリーツをさらに含む、請求項３２に記載のマスク。
【請求項３８】
前記濾過部上の折り目をさらに含む、請求項３２に記載のマスク。
【請求項３９】
前記マスク本体の前記主要構造成分は、軟性殺性金属または軟性殺性金属合金メッシュである、請求項３２に記載のマスク。
【請求項４０】
前記主要構造成分は、剛質殺性金属または剛質殺性金属合金マスク本体に形成される、請求項３２に記載のマスク。
【請求項４１】
前記濾過部は、前記マスク本体から除去可能である、請求項３２に記載のマスク。
【請求項４２】
前記殺性金属または殺性金属合金は、銅、銀、金、青銅、黄銅、銅合金、金合金、銀合金または新奇な殺性合金のうちの少なくとも一つである、請求項３２に記載のマスク。
【請求項４３】
前記濾過部は、前記濾過部を通したアルコールまたはアルコール溶液である消毒溶液の透過を許容するために十分なサイズの平均ワイヤ直径および平均開口幅を有する、請求項３２に記載のマスク。
【請求項４４】
前記メッシュの前記平均ワイヤ直径は、約０．００４５インチである、請求項３２に記載のマスク。
【請求項４５】
前記メッシュの前記平均ワイヤ直径は、約０．００１４〜０．００４５インチの間である、請求項３２に記載のマスク。
【請求項４６】
前記メッシュの前記平均ワイヤ直径は、約０．００７０インチ未満である、請求項３２に記載のマスク。
【請求項４７】
前記メッシュの前記平均ワイヤ直径は、約０．０１００インチ未満である、請求項３２に記載のマスク。
【請求項４８】
前記メッシュの前記平均幅開口は、約０．００７０〜０．００５５５インチの間である、請求項３２に記載のマスク。
【請求項４９】
前記メッシュの前記平均幅開口は、約０．０１００インチ未満である、請求項３２に記載のマスク。
【請求項５０】
着用者の顔面の領域を覆うためのマスクであって、前記マスクは、
マスク本体であって、前記マスク本体は、銅または銅合金から主に構築され、前記銅または銅合金は、前記マスク本体の主要構造成分である、マスク本体
を含み、
前記マスク本体は、前記マスクが前記着用者の顔面上に着用されたときに前記着用者の口、鼻、または口および鼻の少なくとも一部を覆うように配置され、
前記マスク本体は、濾過部を有し、前記濾過部は、殺性作用、空気浄化および自己消毒を提供するための銅メッシュまたは銅合金メッシュを含み、
前記濾過部は、水粘度により前記濾過部を通した水の透過を防ぐために十分なサイズの平均ワイヤ直径および平均開口幅を有し、
前記濾過部は、水粘度より低い消毒溶液粘度により前記濾過部を通した消毒溶液の透過を許容するために十分なサイズの平均ワイヤ直径および平均開口幅を有する、
マスク。
【請求項５１】
前記濾過部は、菌類、病原体および微生物を濾過する、請求項５０に記載のマスク。
【請求項５２】
前記濾過部は、塵および粒子を濾過する、請求項５０に記載のマスク。
【請求項５３】
前記マスク本体と前記着用者の顔面との間の閉鎖を改善するために周辺部バリヤをさらに含む、請求項５０に記載のマスク。
【請求項５４】
前記マスクが前記着用者の顔面上に着用されたときに前記マスクを前記着用者の鼻に対して配置するための強化材ワイヤをさらに含む、請求項５０に記載のマスク。
【請求項５５】
前記濾過部上のプリーツをさらに含む、請求項５０に記載のマスク。
【請求項５６】
前記濾過部上の折り目をさらに含む、請求項５０に記載のマスク。
【請求項５７】
前記マスク本体の前記主要構造成分は、軟性銅メッシュまたは銅合金メッシュである、請求項５０に記載のマスク。
【請求項５８】
前記主要構造成分は、剛質銅または剛質銅合金マスク本体に形成される、請求項５０に記載のマスク。
【請求項５９】
前記濾過部は、前記マスク本体から除去可能である、請求項５０に記載のマスク。
【請求項６０】
前記濾過部は、前記濾過部を通したアルコールまたはアルコール溶液である消毒溶液の透過を許容するために十分なサイズの平均ワイヤ直径および平均開口幅を有する、請求項５０に記載のマスク。
【請求項６１】
前記メッシュの前記平均ワイヤ直径は、約０．００４５インチである、請求項５０に記載のマスク。
【請求項６２】
前記メッシュの前記平均ワイヤ直径は、約０．００１４〜０．００４５インチの間である、請求項５０に記載のマスク。
【請求項６３】
前記メッシュの前記平均ワイヤ直径は、約０．００７０インチ未満である、請求項５０に記載のマスク。
【請求項６４】
前記メッシュの前記平均ワイヤ直径は、約０．０１００インチ未満である、請求項５０に記載のマスク。
【請求項６５】
前記メッシュの前記平均幅開口は、約０．００７０〜０．００５５５インチの間である、請求項５０に記載のマスク。
【請求項６６】
前記メッシュの前記平均幅開口は、約０．０１００インチ未満である、請求項５０に記載のマスク。
【請求項６７】
着用者の顔面の領域を覆うためのマスクであって、前記マスクは、
マスク本体であって、前記マスク本体は、殺性金属メッシュまたは殺性金属合金メッシュを含む材料で主に構築され、前記殺性金属メッシュまたは殺性金属合金メッシュは、殺性作用、空気浄化および自己消毒を提供するための濾過部を含み、前記殺性金属メッシュまたは前記殺性金属合金メッシュの前記濾過部は、前記マスク本体の主要構造成分である、マスク本体
を含み、
前記マスク本体は、前記マスクが前記着用者の顔面上に着用されたときに前記着用者の口、鼻、または口および鼻の少なくとも一部を覆うように配置され、
前記濾過部は、水粘度により前記濾過部を通した水の透過を防ぐために十分なサイズの平均ワイヤ直径および平均開口幅を有し、
前記濾過部は、水粘度より低い消毒溶液粘度により前記濾過部を通した消毒溶液の透過を許容するために十分なサイズの平均ワイヤ直径および平均開口幅を有する、
マスク。
【請求項６８】
前記濾過部は、菌類、病原体および微生物を濾過する、請求項６７に記載のマスク。
【請求項６９】
前記濾過部は、塵および粒子を濾過する、請求項６７に記載のマスク。
【請求項７０】
前記マスク本体と前記着用者の顔面との間の閉鎖を改善するために周辺部バリヤをさらに含む、請求項６７に記載のマスク。
【請求項７１】
前記マスクが前記着用者の顔面上に着用されたときに前記マスクを前記着用者の鼻に対して配置するための強化材ワイヤをさらに含む、請求項６７に記載のマスク。
【請求項７２】
前記濾過部上のプリーツをさらに含む、請求項６７に記載のマスク。
【請求項７３】
前記濾過部上の折り目をさらに含む、請求項６７に記載のマスク。
【請求項７４】
前記殺性金属または殺性金属合金は、銅、銀、金、青銅、黄銅、銅合金、金合金、銀合金または新奇な殺性合金のうちの少なくとも一つである、請求項６７に記載のマスク。
【請求項７５】
前記濾過部は、前記濾過部を通したアルコールまたはアルコール溶液である消毒溶液の透過を許容するために十分なサイズの平均ワイヤ直径および平均開口幅を有する、請求項６７に記載のマスク。
【請求項７６】
前記メッシュの前記平均ワイヤ直径は、約０．００４５インチである、請求項６７に記載のマスク。
【請求項７７】
前記メッシュの前記平均ワイヤ直径は、約０．００１４〜０．００４５インチの間である、請求項６７に記載のマスク。
【請求項７８】
前記メッシュの前記平均ワイヤ直径は、約０．００７０インチ未満である、請求項６７に記載のマスク。
【請求項７９】
前記メッシュの前記平均ワイヤ直径は、約０．０１００インチ未満である、請求項６７に記載のマスク。
【請求項８０】
前記メッシュの前記平均幅開口は、約０．００７０〜０．００５５５インチの間である、請求項６７に記載のマスク。
【請求項８１】
前記メッシュの前記平均幅開口は、約０．０１００インチ未満である、請求項６７に記載のマスク。
【請求項８２】
着用者の顔面の領域を覆うためのマスクであって、前記マスクは、
マスク本体であって、前記マスク本体は、銅メッシュまたは銅合金メッシュを含む材料で主に構築され、前記銅メッシュまたは銅合金メッシュは、殺性作用、空気浄化および自己消毒を提供するための濾過部を含み、前記銅メッシュまたは前記銅合金メッシュの前記濾過部は、前記マスク本体の主要構造成分である、マスク本体
を含み、
前記マスク本体は、前記マスクが前記着用者の顔面上に着用されたときに前記着用者の口、鼻、または口および鼻の少なくとも一部を覆うように配置され、
前記濾過部は、水粘度により前記濾過部を通した水の透過を防ぐために十分なサイズの平均ワイヤ直径および平均開口幅を有し、
前記濾過部は、水粘度より低い消毒溶液粘度により前記濾過部を通した消毒溶液の透過を許容するために十分なサイズの平均ワイヤ直径および平均開口幅を有する、
マスク。
【請求項８３】
前記濾過部は、菌類、病原体および微生物を濾過する、請求項８２に記載のマスク。
【請求項８４】
前記濾過部は、塵および粒子を濾過する、請求項８２に記載のマスク。
【請求項８５】
前記マスク本体と前記着用者の顔面との間の閉鎖を改善するために周辺部バリヤをさらに含む、請求項８２に記載のマスク。
【請求項８６】
前記マスクが前記着用者の顔面上に着用されたときに前記マスクを前記着用者の鼻に対して配置するための強化材ワイヤをさらに含む、請求項８２に記載のマスク。
【請求項８７】
前記濾過部上のプリーツをさらに含む、請求項８２に記載のマスク。
【請求項８８】
前記濾過部上の折り目をさらに含む、請求項８２に記載のマスク。
【請求項８９】
前記濾過部は、前記濾過部を通したアルコールまたはアルコール溶液である消毒溶液の透過を許容するために十分なサイズの平均ワイヤ直径および平均開口幅を有する、請求項８２に記載のマスク。
【請求項９０】
前記メッシュの前記平均ワイヤ直径は、約０．００４５インチである、請求項８２に記載のマスク。
【請求項９１】
前記メッシュの前記平均ワイヤ直径は、約０．００１４〜０．００４５インチの間である、請求項８２に記載のマスク。
【請求項９２】
前記メッシュの前記平均ワイヤ直径は、約０．００７０インチ未満である、請求項８２に記載のマスク。
【請求項９３】
前記メッシュの前記平均ワイヤ直径は、約０．０１００インチ未満である、請求項８２に記載のマスク。
【請求項９４】
前記メッシュの前記平均幅開口は、約０．００７０〜０．００５５５インチの間である、請求項８２に記載のマスク。
【請求項９５】
前記メッシュの前記平均幅開口は、約０．０１００インチ未満である、請求項８２に記載のマスク。
【発明の詳細な説明】
【背景技術】
【０００１】
濾過能力を有するフェースマスクは、幅広い目的および用途で頻繁に着用される。このようなマスクには、医療デバイスおよび医療専門家により着用されるデバイスに使用するための米食品医薬品局（ＦＤＡ：Ｕ．Ｓ．Ｆｏｏｄ  ａｎｄ  Ｄｒｕｇ  Ａｄｍｉｎｉｓｔｒａｔｉｏｎ）により認可されたマスク等のディスポーザブルフェースマスク、工業および家庭消費者により使用される防塵マスクおよびレスピレータ等の使い捨ておよび複数回使用マスク、剛質および多用途マスク、ならびに様々な環境および状況に使用される他の多数のタイプを含むことができる。一部のマスクは、外科用マスク、歯科用マスク、医療処置用マスク、隔離用マスクおよびレーザマスク等、特定の用途向けに標識される。
【０００２】
このようなフェースマスクには、いくつかのデザインがある。一つのタイプは、二つの紐で着用者の頭に付けられ、鼻梁のための軟性調節部を用いて顔面に一致する、布材、織り材または軟性材であり、形状が平坦／プリーツ状またはカモの嘴状でありうる。もう一つのタイプのフェースマスクは、予備成形または予備形成され、単一の弾性バンドで頭に付着し、鼻梁のための軟性調節部を有する。第三のタイプは、平坦／プリーツ状であり、耳ループを用いて頭に付く。レスピレータタイプのマスクは、除去可能もしくは交換可能なフィルタおよび／または呼気弁を含む。
【０００３】
医療デバイス用にＦＤＡにより認可されるフェースマスクは、血液および体液の透過からの特定のレベルの保護を有するものと決められている。フェースマスクは、着用者により小滴が拡散されるのを止めるのに役立つことが多い。これらのマスクは、撥ねまたはしぶきがフェースマスク着用者の口および鼻に達しないようにするために使用されることも多いが、微小粒子エアロゾルから保護することは意図していないことが多い。
【０００４】
銅、銀および金等の殺性（病原体および微生物殺滅）金属は、このような金属の殺性（殺菌）抗菌特性による殺性作用および空気浄化を改善するために、従来の織りまたは繊維フェースマスクの綿、織り有機またはポリマー生地構造材に取り入れられることが多い。場合によっては、殺性溶液が、従来のマスク構造材に施されることもできる。しかし、このように殺性物質を施しても、従来のフェースマスクの主な構造材はなお着用者にとって重要な問題を呈する。
【０００５】
従来の織りまたは繊維マスクにおいては、綿、織り有機またはポリマー生地の主要構造材は通常、水に対する物理的バリヤを提供しない。むしろ、このような材料は一般に、水がマスクに撥ねられるかまたはかけられるかに関わらず、水の透過を実は促進するウィッキングが見られる。バクテリア、ウイルスおよび他の病原体は水滴が空中を移動することを必要とするが、ウィッキングはバクテリアおよびウイルスがマスクに透過することを許し、マスクの濾過効果を低下させる。
【０００６】
また、織りまたは繊維マスクは使い捨てであり、通常は再使用に適さない。オートクレーブの処理等によりこのようなマスクを消毒する試みは、その個々の繊維または織りの特性を弱めまたは変えることによって、マスクの主要構造材に悪影響を与えうる。したがって、一回使用後の廃棄が必要になることが多く、コストがかかり、環境的に不健全でありうる。
【０００７】
ゴムまたはプラスチック／ポリマー材を剛質マスク構造体に成形し、濾過要素を加えることによって再使用可能なマスクを作製することは可能かもしれないが、このようなマスクも濾過要素の頻繁な交換および廃棄が必要であり、濾過要素自体が繊維材または織り材であることが多い。さらに、剛質ゴムまたはプラスチック／ポリマー構造材は、それ自体がバクテリア、ウイルスおよび他の病原体を宿しうる。このようなマスクは、掃除および消毒するのが困難であるし、このような材料自体には通常殺性特性がないため頻繁な掃除も必要である。したがってこのようなマスクはコストがかかり、使用効率が悪く、環境的健全性が劣り、環境要因から着用者を保護する能力が劣る。
【０００８】
マスクの主要構造材として使用されるか濾過材として使用されるかを問わず、織り材および繊維材は着用者に不快でもありうる。このような材料はマスクに取り入れられると、通常使用者による高い呼吸圧力の発揮が必要であり、十分に不浸透性であるために望ましくない熱および水分が不快に保持され、着用者の眼鏡または目保護材のくもりを生じうる。
【発明の概要】
【課題を解決するための手段】
【０００９】
着用者の顔面の領域を覆うためのマスクは、殺性金属または殺性金属合金を含む材料で主に構築されたマスク本体を含む。殺性金属または殺性金属合金は、マスク本体の主要構造成分でもある。マスク本体は、前記マスクが着用者の顔面上に着用されたときに着用者の鼻、口、または鼻および口の少なくとも一部を覆うように配置される。
【００１０】
マスクは濾過部を含み、濾過部にも殺性金属メッシュまたは殺性金属合金メッシュが含まれる。殺性金属または殺性金属合金メッシュは、殺性作用および空気浄化を提供する。濾過部の殺性金属または殺性金属合金メッシュは、水粘度により濾過部の水の透過を防ぐために十分に小さい平均ワイヤ直径および平均開口幅を有する。しかし、補足的なマスク衛生化および再使用を可能にするために、濾過部メッシュの平均ワイヤ直径および平均開口幅は、水粘度より低い消毒溶液粘度により消毒溶液の透過を可能にするために十分なサイズでもある。
【００１１】
殺性金属または殺性金属合金メッシュを含むマスクの濾過部は、それ自体がマスク本体の主要構造成分を形成することもできるし、または別個の固着もしくは除去可能マスク成分であることもできる。一部の実施形態では、一体または別々のマスク本体および濾過部における殺性金属または殺性金属合金の使用は、加熱またはオートクレーブ等の方法を通じた補足的なマスク衛生化の代替的手段を可能にする。
【００１２】
本発明およびその多数の利点のより完全な理解および評価のため、添付の図面に関連して理解される以下の発明を実施するための形態が参照される。
【図面の簡単な説明】
【００１３】
【図１】本発明の一実施形態に係る着用者の顔面上に配置された銅メッシュマスクの斜視図である。
【図２】図１の銅メッシュマスクの正面図である。
【図２Ａ】図１の銅メッシュマスクの左側面図である。
【図２Ｂ】図２の線２Ｂ‐２Ｂに沿った図１の銅メッシュマスクの右横断面図である。
【図３】本発明の一実施形態に係る着用者の顔面上に配置された銅メッシュマスクの斜視図である。
【図４】図４は図３の銅メッシュマスクの正面図である。
【図４Ａ】図４Ａは図３の銅メッシュマスクの左側面図である。
【図４Ｂ】図４Ｂは図４の線４Ｂ‐４Ｂに沿った図３の銅メッシュマスクの右横断面図である。
【図５Ａ】本発明の一実施形態に係るマスクの上部の右横断面図である。
【図５Ｂ】本発明の一実施形態に係るマスクの上部の右横断面図である。
【図５Ｃ】本発明の一実施形態に係るマスクの上部の右横断面図である。
【図５Ｄ】本発明の一実施形態に係るマスクの上部の右横断面図である。
【図５Ｅ】本発明の一実施形態に係るマスクの上部の右横断面図である。
【図６】本発明の一実施形態に係るメッシュマスクの正面図である。
【図６Ａ】図６のメッシュマスクの左側面図である。
【図６Ｂ】図６の線６Ｂ‐６Ｂに沿った図６のメッシュマスクの右横断面図である。
【図７】本発明の一実施形態に係るメッシュマスクの正面図である。
【図７Ａ】図７のメッシュマスクの左側面図である。
【図７Ｂ】図７の線７Ｂ‐７Ｂに沿った図７のメッシュマスクの右横断面図である。
【図８】本発明の一実施形態に係るマスクの斜視図である。
【図９】本発明の一実施形態に係るマスクの斜視図である。
【図１０】本発明の一実施形態に係る着用者の顔面上に配置された銅メッシュマスクの斜視図である。
【図１１】本発明の一実施形態に係るマスクの斜視図である。
【図１２】本発明の一実施形態に係るマスクの斜視図である。
【図１３】本発明の一実施形態に係るマスクの斜視図である。
【発明を実施するための形態】
【００１４】
図面を参照する際には、一部の参照番号は、図と共に記載される実施形態および図のいくつかを通して同じまたは対応する部分を示すために用いられる。対応する部分のバリエーションは、特定の実施形態において英小文字を加えて示される。図に示されるが説明されていない構成要素の後続のバリエーションは、先に言及された特定の実施形態に対応することが意図され、形または機能が異なる範囲で議論される。一般に当然のことながら、実施形態のバリエーションは本発明の意図された範囲から逸脱することなく交換されうる。
【００１５】
図１は、着用者１４ａの顔面１２ａ上に配置されたマスク１０ａの斜視図である。マスク１０ａは、弾性バンド１８ａで着用者の顔面１２ａに固定されたマスク本体１６ａを含む。弾性バンド１８ａは、着用者の耳２０ａの周りに輪になり、マスク本体１６ａを通って延び、ファスナ２２ａでマスク１０ａに留められる。本実施形態においては、マスク本体１６ａは、着用者の目２４ａの下から着用者の鼻孔の上および着用者の口全体の上に、着用者のあご２６ａの下部のすぐ上まで延びるサイズである。
【００１６】
マスク１０ａの構造は、図１の着用者１４ａの顔面１２ａ上のマスク１０ａの斜視図を図２のマスク１０ａの正面図および図２Ａのマスク１０ａの左側面図と比較することにより最も良く理解される。図２の線２Ｂ‐２Ｂに沿ったマスク１０ａの右横断面図が、図２Ｂに示される。
【００１７】
マスク１０ａの本体１６ａは、銅メッシュ２８ａから構築され、銅は、ほとんどの病原体および微生物を殺滅できるが人には害がない殺性金属である。銅メッシュ２８ａは、ほとんどの小さな粒状物質を濾過するのにも非常に有効である。この図１〜２Ｂの構想例においては、本体１６ａは、ニュージャージー州シーダーグローブのＢｅｌｌｅｖｉｌｌｅ  Ｗｉｒｅ  Ｃｌｏｔｈ  Ｃｏｍｐａｎｙから入手可能なアイテム＃１００×１００  ０．００４５ｃｕ等の、おおよそのワイヤ直径が０．００４５インチ、幅開口が０．００５５５インチであり、開口面積が約３０．３％、リニアインチあたりのメッシュ数が約１００×１００の銅メッシュである。図１〜２Ｂのマスク１０ａの銅メッシュ２８ａは、マスク本体１６ａを形成する。したがって、メッシュ２８ａの銅材は、それ自体がマスク本体１６ａの主要構造成分であり、殺性作用および空気浄化を提供するための濾過部３０ａでもある。この図の例は、マスク本体１６ａの主要構造成分として銅を利用するが、当然のことながら、銀、金、青銅、黄銅およびさらに新奇な殺性合金等の他の殺性金属または殺性金属合金も、企図される本発明の範囲内で使用することができる。さらに当然のことながら、そのような他の殺性金属または殺性金属合金は、本発明の企図される範囲内でマスクの濾過部としても使用することができる。
【００１８】
銅メッシュ２８ａは、かかった水および水滴が本来の水の張力および約８．９４×１０−４Ｐａ‐ｓの比較的高い通常の水の粘度によりマスクを透過しない傾向をもつように疎水性である。したがって、マスク本体１６ａに加えられた水は、銅メッシュ２８ａを通過しまたはこれに吸収されるのではなく、ビーズ状になる傾向がある。図１〜２Ｂの図の例は、おおよそのワイヤ直径が０．００４５インチ、おおよその幅開口が０．００５５５インチであり、リニアインチあたりのメッシュ数が約１００×１００である銅メッシュを企図する。当然のことながら、一部の好ましい実施形態は、類似の撥水性疎水性特性を有するメッシュを利用する。ワイヤ直径が約０．００１４〜０．００４５インチ、おおよその幅開口が０．００１７０〜０．００５５５インチであり、リニアインチあたりのメッシュ数が約１００×１００〜３２５×３２５であるメッシュも、類似の疎水性特性をもつ可能性が高い。さらに、ワイヤ直径が約０．０１００インチより小さい、好ましくは約０．００７０インチより小さい任意のそのような殺性金属メッシュまたは殺性金属合金メッシュが適切に実施されうることも考えられる。
【００１９】
このような範囲は、水だけのウィッキング透過に反発および抵抗するが、このような範囲はまた、消毒剤による金属メッシュマスクの補足的な衛生化および後の再使用を可能にする。例えば、１．０７４×１０−３Ｐａ‐ｓの通常のアルコールの粘度は、図１〜２Ｂのマスク１０ａの銅メッシュ２８ａの透過を可能にし、したがって補足的なマスク消毒のためのアルコールの使用を可能にする。７０％のイソプロピルアルコール水溶液は通常の粘度が２．２７×１０−３Ｐａ‐ｓであり、このような溶液を同じマスク１０ａに消毒薬として使用することもできる。これらの構造消毒効果は、濾過部３０ａおよび主要構造成分／マスク本体１６ａの両方が殺性銅であるために生じ継続する本来の消毒に加えたものとなる。一部の実施形態では、マスクを加熱またはオートクレーブすることによって追加の消毒または滅菌をもたらすことがさらに有利であろう。例えば、図１〜２Ｂでは、マスク１０ａの本体１６ａは、特に弾性バンド１８ａおよびファスナ２２ａの一時的除去の後に、加熱またはオートクレーブされうる。
【００２０】
一部の実施形態では、図１〜２Ｂの弾性バンド１８ａおよびファスナ２２ａ等、マスクの主要構造成分でない成分も、銅もしくは他の殺性金属または殺性金属合金から構築されるかまたはそれらを少なくとも部分的に含んでもよいことも企図される。例えば、このような非主要構造成分における追加の銅の存在は、着用者１４ａの顔面１２ａを取り巻く空気への追加的な銅イオンの曝露を可能にし、したがって周囲の空気浄化をさらに増強すると考えられる。
【００２１】
一部の企図される実施形態は、着用者の顔面上のマスクの適合または配置を改善するために他の非主要構造成分も加えられることができ、一部の実施形態では、部分的にまたは完全に殺性金属または殺性金属合金から構築されることもできる。例えば、図１〜２Ｂのマスク１０ａは、メッシュ２８ａのオーバーフォールド３６ａと小さな余剰部３８ａとによって固定された、マスク本体１６ａの上端３４ａの軟性配置ロッド３２ａ（図１には示されない）を含む。配置ロッド３２ａは、着用者がロッド３２ａを着用者の鼻の上のマスク１０ａの適合を改善する形状に曲げることを可能にする形状記憶を特徴とする金属または金属合金等の材料から構築される。メッシュ２８ａのオーバーフォールド３６ａおよび余剰部３８も、ロッド３２ａに合うように形成された場合にマスク１０ａの剛さおよび適合を改善する。ロッド３２ａの金属構造は、殺性金属イオンの曝露を増強するために完全にまたは部分的に殺性金属または殺性金属合金とすることができ、加熱またはオートクレーブによるマスク１０ａの追加の衛生化も可能にする。
【００２２】
着用者の顔面に対するマスクの剛性、配置、密閉性を改善するために追加の構成要素が加えられてもよい。図３を参照すると、閉鎖および強化を改善し、マスク１０ｂと着用者１４ｂの顔面１２ｂとの間のスペース間隔を減少させるために周辺部バリヤ４０を有する、一つの企図される実施形態による銅メッシュマスク１０ｂが示される。図３のマスク１０ｂの正面図、側面図および側横断面図が、図４〜４Ｂに示される。周辺部バリヤ４０は、マスク１０ｂの周辺部の周りに取り付けられるが、それ自体はマスク本体１６ｂを形成する銅メッシュ２８ａの一部ではないため、バリヤ４０は、本発明の企図される範囲内で織り布またはゴム等の非殺性金属材から構築されることができる。あるいは、周辺部バリヤ４０は、殺性金属または殺性金属合金材が布材または繊維材に加えられた非金属の布材または繊維材から構築されてもよく、それによってバリヤ４０がマスク１０ｂの殺性作用および／または空気浄化能力に寄与することができる。さらに別の方法として、周辺部バリヤ４０自体が完全に銅等の殺性金属または殺性金属合金材から構築されてもよく、これによりマスク１０ｂの全体的な殺性作用および／または空気浄化能力へのバリヤ４０の寄与が最大化され、場合によってはバリヤ４０の除去を要せずにまたはマスク１０ｂに損傷を与えずに加熱またはオートクレーブを介して補足的な衛生化が可能になる。単純なノットファスナ２２ｂの使用は、弾性バンド１８ｂの容易な除去および交換を可能にすることにより、そのような消毒または滅菌作業をさらに容易にする。
【００２３】
本発明は、マスクの端および周辺部に沿って配置された任意の強化ロッドおよび周辺部バリヤを備えて図と共に記載されているが、本発明の予想範囲内でいくつかの端および周辺部構造が可能なことはいうまでもない。例えば、図５Ａは、マスク１０ｃの上部の右横断面図であり、ここではマスク本体１６ｃの殺性金属メッシュ２８ｃがマスク１０ｃの上端３４ｃに沿って単純に折り曲げられて、マスク本体１６ｃを強化する金属メッシュのオーバーフォールド３６ｃが作製されている。同様の折り曲げ部は、マスク全体の剛性を増加させるために、マスク１０ｃの側端および下端に沿って位置することもできる。
【００２４】
図５Ｂは、一つの企図される実施形態によるマスク１０ｄの上端３４ｄに沿った輪状オーバーフォールド３６ｄを示し、ここではオーバーフォールド３６ｄの輪状構成によりオーバーフォールドスペース４２ｄが残される。これと比較して、図５Ｂは、図５Ｃのマスク１０ｅと比較することができ、図５Ｃでは、輪状オーバーフォールド３６ｅが、マスク本体１６ｅの濾過部３０ｅと同一平面上に平面接触して配置されたメッシュ２８ｃの余剰部３８ｅで終端し、マスクの剛さがさらに増強される。図５Ｄおよび５Ｅは、それぞれ、図５Ｂおよび５Ｃのものと類似のマスク１０ｇおよび１０ｈの上端３４ｇおよび３４ｈを示し、図５Ｄおよび５Ｅでは加えて、マスク１０ｇおよび１０ｈのさらなる強化および配置のために、配置ロッド３２ｇおよび３２ｈが図５Ｂおよび５Ｃのオーバーフォールドスペース４２ｄおよび４２ｅを占有している。したがって、結果として生じる図５Ｅのマスク１０ｈの上端３４ｈの構成は、図２〜２Ｂの図と共に記載されるマスク１０ａと類似する。
【００２５】
殺性金属または殺性金属合金マスクの本体および濾過部のメッシュ曲げの様々な構成を提供することによってマスクの剛性を操作することも可能である。図６は、本発明の正面図のマスク１０ｉを示し、マスク１０ｉの左側面図が図６Ａに、図６の線６Ｂ‐６Ｂに沿った右横断面図が図６Ｂに示される。複数のプリーツ４４がマスク本体１６ｉの銅メッシュ２８ｉに加えられ、これは図６の正面図を図６Ａおよび６Ｂの側面図および側横断面図と比較することによって最も良く理解される。プリーツ４４は、水平にマスク１０ｉの本体１６ｉおよび濾過部３０ｉの幅に部分的に沿って延在する。プリーツは、マスク１０ｉの全体の剛さを増加させるのに加えて、マスク本体１６ｉのメッシュ２８ｉの濾過部３０ｉおよび銅イオンとの空気相互作用の増加を可能にする追加の角度をつけた表面積も提供して、殺性作用および空気浄化を増強する。ファスナノット２２ｉの使用は、加熱またはオートクレーブによるマスク１０ｉの補足的な消毒または滅菌のための弾性バンド１８ｉの容易な除去を可能にする。
【００２６】
他の曲げたメッシュの構成も可能である。例えば、図７は、本発明の正面図のマスク１０ｊを示し、マスク１０ｊの左側面図が図７Ａに、図７の線７Ｂ‐７Ｂに沿った右横断面図が図７Ｂに示される。複数の折り目４６がマスク本体１６ｊの銅メッシュ２８ｊに加えられ、これは図７の正面図を図７Ａおよび７Ｂの側面図および側横断面図と比較することによって最も良く理解される。折り目４６は、マスク１０ｊの本体１６ｊおよび濾過部３０ｊの全幅に沿って水平に延在する。図６〜６Ｂのプリーツ加工４４のように、図７〜７Ｂの折り目４６も、マスク１０ｊの全体の剛さを増加させる。折り目４６は、銅メッシュ２８ｊのさらなる層化を提供すると共に、マスク１０ｉを強化するための容易に製造される手段をさらに提供する。このようなさらなる層化は、マスク本体１６ｊのメッシュ２８ｊの濾過部３０ｊおよび銅イオンとの空気相互作用の増加を可能にして、殺性作用および空気浄化を増強する。この企図された実施形態においては、弾性バンド１８ｊの容易な除去を可能にするためにファスナノット２２ｊも使用される。
【００２７】
本発明は、殺性金属または殺性金属合金メッシュがマスクのマスク本体および濾過部の両方を形成する場合において図と共に記載されているが、当然のことながら、別々のマスク本体および濾過部を有するマスクも可能であり、本発明の企図される範囲内である。例えば、図８は、剛質の型打ちまたは成形された銅マスク本体１６ｋと別個の銅メッシュ濾過部３０ｋとを有する本発明のマスク１０ｋを示す。図８において、濾過部３０ｋは、マスク１０ｋ上のマスク本体１６ｋに対する位置を区別するために影がつけられている。
【００２８】
図８のこの例示において、マスク本体１６ｋは全体が銅であり、したがって銅が本体の主要構造成分である。銅メッシュ２８ｋが濾過部３０ｋに使用され、濾過部３０ｋはマスク本体１６ｋ自体に直接融合、溶接、結合または接合されうる。銅メッシュ２８ｋは、濾過部３０ｋおよびマスク本体１６ｋが連続した銅片からおよび連続した銅片に型打ちまたは他の方法で形成されるように、マスク本体１６ｋの製造の間に製作されてもよい。マスク本体１６ｋは剛質かつ不浸透性の銅構造体であるため、着用者の呼吸による空気流はマスク本体１６ｋによって濾過部３０ｋに導流され、この導流の間にはマスク本体１６ｋの銅により殺性作用ももたらされるが、マスク１０ｋの全体的な殺性および空気浄化効果ならびに効率が増強される。図８では本発明のマスク本体および濾過部の両方が銅で作られるものとして記載されるが、当然のことながら、本発明の企図される範囲内で異なる殺性金属または殺性金属合金が使用されまたは組み合わせられてもよい。
【００２９】
弾性バンド１８ｋは、マスク本体１６ｋのサイドフラップ５０ｋを通してピンチスリット４８ｋに接続する。ピンチスリット４８ｋは、着用者による容易な調節ならびに弾性バンドのマスク１０ｋからの容易な除去およびマスク１０ｋへの容易な再設置を可能にする。この企図された実施形態のこの特徴は、加熱またはオートクレーブによるマスク１０ｋの頻繁な補足的消毒または滅菌が望ましいかまたは要求される場合に特に有用でありうる。
【００３０】
本発明は、濾過部が残りのマスク本体から区別される場合の、複数の濾過部の利用も企図する。図９は、図８に示されたものと類似するが、別々の上側濾過部５２と下側濾過部５４とを有する本発明のマスク１０ｌを示す。図９では、上側濾過部５２および下側濾過部５４のいずれも、マスク本体１６ｌに対するマスク１０ｌ上の位置を区別するために影がつけられている。
【００３１】
マスク１０ｌが着用者の顔面上に正しく配置されたときには、上側濾過部５２は着用者の鼻に近接するマスク１０ｌの上端３４ｌのより近くに配置され、下側濾過部５４は着用者の口に近接して配置される。この構成は、マスク本体１６ｌによる濾過部３０ｌへの空気の導流への依存がより少なく（ｒｅｌｉｅｓ  ｌｅｓｓ  ｏｎｅ）、より容易な呼吸を可能にし、マスク１０ｌ自体による殺性作用および空気浄化がより効率的になる。上側濾過部５２および下側濾過部５４のいずれも、マスク本体１６ｌの殺性金属合金に接合された殺性金属または殺性金属合金メッシュで構築され、加熱またはオートクレーブによる補足的な衛生化が促進される。このため、弾性バンドのマスク本体１０ｌからの容易な除去およびマスク本体１０ｌへの容易な再設置を可能にするためにマスク本体１６ｌのサイドフラップ５０ｌを通してピンチスリット４８ｌに接続された弾性バンド１８ｌを利用することがさらに有利である。
【００３２】
マスクが着用者の鼻および口の両方を覆うものとして図と共に記載されているが、当然のことながら、着用者の口だけまたは鼻だけを覆うマスクも本発明の企図される範囲内である。例えば、図１０は、銅メッシュ２８ｍがマスク本体１６ｍおよび濾過部３０ｍの両方を形成する、着用者１４ｍの顔面１２ｍ上に配置された銅メッシュマスク１０ｍを示す。着用者１４ｍの顔面１２ｍ上に配置されると、マスク１０ｍの上端３４ｍは、着用者の目２４ｍのすぐ下に延び、下端５６は着用者の口５８より上にとどまり、着用者の鼻だけを覆う。
【００３３】
マスク１０ｍが着用者の顔面１２ｍ上に配置される間、弾性バンド１８ｍは、着用者の耳２０ｍの周りに伸びて、マスク１０ｍを適所に固定する。バンド１８ｍがマスク１０ｍの銅メッシュ２８ｍを引く際には、バンド１８ｍはまた、上端３４ｍおよび下端５６がより近くに引きつけられるようにマスク１０ｍの両端を締め付け、締め付けの範囲は鼻の大きさ等の着用者の顔面１２ｍの特徴に依存する。それから着用者１４ｍは、銅メッシュ２８ｍを折り曲げ、マスク本体１６ｍが着用者の顔面１２ｍおよび鼻をよりよく包むことを可能にする三角形のタック６０を作製する。タック６０のサイズは通常、着用者の顔の特徴に応じて変化し、より大きい鼻ならばタック６０はより小さくなり、より小さい鼻ならばタック６０はより大きくなる。図１０に示された銅メッシュマスク１０ｍでは、マスク本体１６ｍおよび濾過部３０ｍのための一つの適切な銅メッシュは、ニュージャージー州シーダーグローブのＢｅｌｌｅｖｉｌｌｅ  Ｗｉｒｅ  Ｃｌｏｔｈ  Ｃｏｍｐａｎｙからやはり入手可能なアイテム＃１２０×１２０  ０．００３７ｃｕ等、おおよそのワイヤ直径が０．００３７インチ、幅開口が０．００４６インチであり、開口面積が約３０．７％、リニアインチあたりのメッシュ数が約１２０×１２０である。このようなメッシュ２８ｍから構築されたマスク１０ｍのタック６０の包含は、マスク１０ｍのかなりの殺性作用および空気浄化を可能にする。さらに当然のことながら、同様の銅メッシュまたは他の殺性金属材を使用した着用者の口だけを覆い鼻は覆わないマスクも、本発明の意図された範囲内で殺性作用および空気浄化のために構築されうる。
【００３４】
一部の実施形態においては、着用者の鼻だけまたは口だけを覆うマスクが、金属メッシュマスク本体におけるタックの必要性を回避するように構築されうることもさらに企図される。例えば図１１は、着用者の鼻の上だけに適合し着用者の口の上には適合しないように設計された本発明の殺性金属メッシュマスク１０ｎを示す。剛質フラップ５０ｎは、マスク本体１６ｎの一部であるが、殺性金属または殺性金属合金から構築され、マスク本体１６ｎおよび濾過部３０ｎの締め付けに抵抗しながら弾性バンド１８ｎの取り付けを可能にし、このようにして最適なマスク配置のためのタックの必要性を回避する。マスク本体１６ｎの濾過部３０ｎも、殺性作用および空気浄化をもたらす殺性金属メッシュまたは殺性金属合金メッシュ２８ｎである。したがって、フラップ５０ｎおよび濾過部３０ｎに使用される殺性金属または殺性金属合金は、マスク本体１６ｎの主要構造成分である。ステープル２３が、マスク１０ｎに対する取り付けの代替手段として弾性バンド１８ｎをフラップ５０ｎに固定するために用いられる。一部の実施形態では、ステープル２３も殺性金属または殺性金属合金から構築されることが企図される。
【００３５】
さらに当然のことながら、本発明は、レスピレータタイプのマスクにおいても適切に実施されることができる。例えば図１２は、ファスナ２２ｏを介した弾性バンド１８ｏの取り付けを可能にするフラップ５０ｏを備えた銅メッシュマスク本体１６ｏを有する半剛質レスピレータ形状に形成または型打ちされた本発明のマスク１０ｏを示す。マスク本体１６ｏは、殺性作用および空気浄化をもたらすために浸透性銅メッシュ２８ｏから構築されるが、吐き出された水分のマスク１０ｏからの脱出をさらに促進するための呼気弁６２ｏも含まれる。適切に実施された呼気弁は、空気がレスピレータタイプのマスクに入るのを大きく制限または防止するが、呼気の大部分がマスクを脱出するのを可能にして、着用者の顔面とマスク本体との間のスペースにおける水分蓄積をさらに制限する。このような弁は、ミネソタ州セントポールの３Ｍ  Ｃｏｍｐａｎｙから入手可能なＣＯＯＬ  ＦＬＯＷ（商標）Ｒｅｓｐｉｒａｔｏｒ  Ｖａｌｖｅ等、市販されている。一部の実施形態では、殺性作用および空気浄化をさらにもたらすために呼気弁６２ｏの構成要素の一部または全部が殺性金属または殺性金属合金から構築されうることがさらに企図される。
【００３６】
本発明は固着した濾過部または除去不能な濾過部を用いて図と共に記載されているが、当然のことながら、本発明の一部の実施形態は、消耗性のおよび／または除去可能な濾過部を含むことができる。例えば図１３は、不浸透性の非メッシュマスク本体１６ｐを有する本発明のレスピレータタイプのマスク１０ｐを示し、マスク本体１６ｐは、マスク１０ｐの殺性作用および空気浄化能力に寄与する形成または型打ちされた殺性金属または殺性金属合金から構築されている。マスク１０ｐは、マスク１０ｐの着用時に着用者の顔面とマスク本体１６ｐとの間のスペースにおける水分蓄積を低下させるための呼気弁６２ｐを含む。呼気弁６２ｐは除去可能であり、呼気弁６２ｐおよびマスク本体１６ｐの両方が、呼気弁６２ｐの容易な除去および再設置を可能にするためにねじ切りされていてもよい。
【００３７】
マスク１０ｐの濾過部３０ｐは、（フィルタハウジング６６によって囲まれており、図１３では見えない）殺性金属メッシュまたは殺性金属合金メッシュフィルタ要素を囲むフィルタハウジング６６をそれぞれ含む二つの除去可能フィルタ６４を含む。フィルタ要素はマスク１０ｐの殺性作用および空気浄化作用の多くをもたらすが、本発明の意図された範囲内の多数の実施形態が、呼気弁６２ｐおよび除去可能フィルタ６４の一部または全ての構成要素に銅または他の殺性金属もしくは殺性金属合金を利用して、マスク１０ｐの全体的な殺性および空気浄化能力を増強する点でマスク本体１６ｐおよびメッシュフィルタ要素を補うことが企図される。
【００３８】
フィルタハウジング６６およびマスク本体１６ｐの両方は、フィルタ６４の容易な除去および再設置を可能にするためにねじ切りされうる。典型的な使用サイクルの間には、呼気弁６２ｐおよびフィルタ６４がマスク本体１０ｐから定期的に除去され、メッシュフィルタ要素がフィルタハウジング６６から除去されて、加熱またはオートクレーブを介したマスク本体１６ｐならびに呼気弁６２ｐ、メッシュフィルタ要素およびフィルタハウジング６６等の他のマスク構成要素の補足的な衛生化が促進されることがさらに企図される。マスク１０ｐは、このようなルーチンの補足的な衛生化の間の弾性バンド１８ｐの容易な除去および交換を可能にするために、フラップ５０ｐのピンチスリット４８ｐを含む。
【００３９】
本発明は、様々な例示的実施形態の全体にわたって着用者の耳の後ろに取り付けるために弾性バンドを使用して着用者の顔面に固定されるものとして図と共に記載されているが、当然のことながら、着用者の頭の周りに固定するための一つの弾性バンド、一つまたは複数の紐、ストラップ、ベルト、バンド、一時的顔面接着剤、またはマスクによる殺性作用および空気浄化のために着用者の鼻、口もしくは鼻および口の上の適切な配置を可能にする他の任意の形態の一時的マスク取り付け部等、他の取り付け手段も本発明の企図される範囲内で可能である。
【００４０】
当業者には当然のことながら、本発明は、図と共に記載されたものと異なる実施形態が可能である。当然のことながら、開示された装置および方法の構造の詳細は、本発明自体から逸脱することなく様々な点で変更されうる。したがって、図面および発明を実施するための形態は、本発明の精神および範囲から逸脱しない等価物も含むものと考えられねばならない。
【図１】
2017535686.tif 000003
【図２】
2017535686.tif 000004
【図２Ａ】
2017535686.tif 000005
【図２Ｂ】
2017535686.tif 000006
【図３】
2017535686.tif 000007
【図４】
2017535686.tif 000008
【図４Ａ】
2017535686.tif 000009
【図４Ｂ】
2017535686.tif 000010
【図５Ａ】
2017535686.tif 000011
【図５Ｂ】
2017535686.tif 000012
【図５Ｃ】
2017535686.tif 000013
【図５Ｄ】
2017535686.tif 000014
【図５Ｅ】
2017535686.tif 000015
【図６】
2017535686.tif 000016
【図６Ａ】
2017535686.tif 000017
【図６Ｂ】
2017535686.tif 000018
【図７】
2017535686.tif 000019
【図７Ａ】
2017535686.tif 000020
【図７Ｂ】
2017535686.tif 000021
【図８】
2017535686.tif 000022
【図９】
2017535686.tif 000023
【図１０】
2017535686.tif 000024
【図１１】
2017535686.tif 000025
【図１２】
2017535686.tif 000026
【図１３】
2017535686.tif 000027
【国際調査報告】
2017535686.tif 000028
2017535686.tif 000029